【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
少なくとも１つの第１のコンデンサ（Ｃ１）の静電容量と少なくとも１つの第２のコンデンサ（Ｃ２）の静電容量との相対的変化を検出する装置であって、前記少なくとも１つの第１のコンデンサおよび前記少なくとも１つの第２のコンデンサはそれぞれ第１端部および第２端部を有しており、前記装置は、
少なくとも１つの周期的な出力信号を、これに対応する少なくとも１つの電源出力において与えるように動作する少なくとも１つの電源、ならびに
少なくとも１つの演算増幅器（Ａ０、Ａ１）および少なくとも１つの差動増幅器（Ａ２）を含み、前記少なくとも１つの第１のコンデンサの第１端部と前記少なくとも１つの第２のコンデンサの第１端部に連結される電気回路を備え、
前記少なくとも１つの第１のコンデンサの第２端部と前記少なくとも１つの第２のコンデンサの第２端部が同時に共有グラウンドに電気的に接続され、
前記少なくとも１つの電源出力は、前記少なくとも１つの第１のコンデンサと前記少なくとも１つの第２のコンデンサを充電するように動作し、
前記少なくとも１つの演算増幅器は、前記少なくとも１つの第１のコンデンサと前記少なくとも１つの第２のコンデンサが前記少なくとも１つの電源出力により充電されている間、負帰還を用いて前記少なくとも１つの第１のコンデンサの第１端部と前記少なくとも１つの第２のコンデンサの第１端部とを前記共有グラウンドに対してほぼ等しい電圧電位に保つように構成され、
前記少なくとも１つの差動増幅器は、少なくとも1つの電気信号（Ｖｄ）を与えるように動作し、
前記少なくとも１つの電気信号と指定された算術関数との間にほぼ線形関係が存在し、前記指定された算術関数は、前記少なくとも１つの第１のコンデンサの静電容量と前記少なくとも１つの第２のコンデンサの静電容量との割合、および前記少なくとも１つの第１のコンデンサの静電容量に第１の定数係数を乗じたものと前記少なくとも１つの第２コンデンサの静電容量に第２の定数係数を乗じたものとの差、のいずれかを含む、装置。
【請求項２】
前記少なくとも１つの電源は、第１のノード（１０１）において前記第１のコンデンサに接続された第１の抵抗（Ｒ１）を駆動し、第２のノード（１０２）において前記第２のコンデンサに接続された第２の抵抗（Ｒ２）を駆動するように動作する、周期的に変動する電圧源（Ｇ１）を備え、
前記少なくとも１つの演算増幅器が第１の演算増幅器（Ａ１）を含み、
前記第１のノードにおける電圧電位が前記第１の演算増幅器の反転入力に与えられ、前記第２のノードにおける電圧電位が前記第１の演算増幅器の非反転入力に与えられ、
前記第１の演算増幅器の出力と前記第１のノードとの間に第３の抵抗（Ｒ３）が接続され、それによって、前記第３の抵抗を流れる帰還電流（Ｉ３）が、前記第１のノードにおける電圧電位と、前記第２のノードにおける電圧電位とをほぼ等しく保ち、
前記第１および第２のノードのいずれか一方における電圧電位が前記差動増幅器の第１の差動入力に与えられ、前記第１の演算増幅器の出力が、前記差動増幅器の第２の差動入力に与えられ、
定常状態では、前記差動増幅器により与えられる電気信号が、時間の周期関数である、前記第２の抵抗を流れる電流（Ｉ２）を値（ｃ１／ｃ２−ｒ２／ｒ１）で変調したものを表す信号にほぼ比例し、ｃ１が前記第１のコンデンサの静電容量であり、ｃ２が前記第２のコンデンサの静電容量であり、ｒ１が前記第１の抵抗の抵抗値であり、ｒ２が前記第２の抵抗の抵抗値である、請求項１に記載の装置。
【請求項３】
定常状態では、前記差動増幅器により与えられる電気信号の周期のある定刻における前記電気信号と、前記値（ｃ１／ｃ２−ｒ２／ｒ１）との間にほぼ線形関係が存在する、請求項２に記載の装置。
【請求項４】
定常状態では、前記差動増幅器により与えられる電気信号の正および／または負の周期の平均絶対値と、前記値（ｃ１／ｃ２−ｒ２／ｒ１）との間にほぼ線形関係が存在する、請求項２に記載の装置。
【請求項５】
同期復調器をさらに含み、前記周期的に変動する電圧源が正弦波電圧源であり、前記同期復調器が、同期復調によって、前記差動増幅器により与えられる電気信号から、前記値（ｃ１／ｃ２−ｒ２／ｒ１）にほぼ比例する信号を抽出するように動作する、請求項２に記載の装置。
【請求項６】
前記少なくとも１つの電源は、前記第１のコンデンサに第１の出力電流（Ｉ１）を与えるように動作する、第１の周期的に変動する電流源（Ｇ１）、および前記第２のコンデンサに第２の出力電流（Ｉ２）を与えるように動作する、第２の周期的に変動する電流源（Ｇ２）を備え、前記第１のコンデンサは第１のノード（１０１）において、前記第１の周期的に変動する電流源に接続され、前記第２のコンデンサは第２のノード（１０２）において、前記第２の周期的に変動する電流源に接続され、
前記第１の出力電流の大きさが、前記第２の出力電流の大きさの定数Ｋ倍に等しく、
前記少なくとも１つの演算増幅器が第１の演算増幅器（Ａ１）を含み、
前記第１のノードにおける電圧電位が前記第１の演算増幅器の反転入力に与えられ、前記第２のノードにおける電圧電位が前記第１の演算増幅器の非反転入力に与えられ、
前記第１の演算増幅器の出力と前記第１のノードとの間に第１の抵抗（Ｒ１）が接続され、それによって、前記第１の抵抗を流れる帰還電流（Ｉ３）が、前記第１のノードにおける電圧電位と、前記第２のノードにおける電圧電位とをほぼ等しく保ち、
前記第１および第２のノードのいずれか一方における電圧電位が前記差動増幅器の第１の差動入力に与えられ、前記第１の演算増幅器の出力が、前記差動増幅器の第２の差動入力に与えられ、
定常状態では、前記差動増幅器により与えられる電気信号が、時間の周期関数である、前記第２のコンデンサに流れ込む電流（Ｉ２）を値（ｃ１／ｃ２−Ｋ）で変調したものを表す信号にほぼ比例し、ｃ１が前記第１のコンデンサの静電容量であり、ｃ２が前記第２のコンデンサの静電容量である、請求項１に記載の装置。
【請求項７】
定常状態では、前記差動増幅器により与えられる電気信号の周期のある定刻における前記電気信号と、前記値（ｃ１／ｃ２−Ｋ）との間にほぼ線形関係が存在する、請求項６に記載の装置。
【請求項８】
定常状態では、前記差動増幅器により与えられる電気信号の正および／または負の周期の平均絶対値と、前記値（ｃ１／ｃ２−Ｋ）との間にほぼ線形関係が存在する、請求項６に記載の装置。
【請求項９】
同期復調器をさらに含み、前記第１および第２の周期的に変動する電流源がそれぞれ正弦波電流源であり、前記同期復調器が、同期復調によって、前記差動増幅器により与えられる電気信号から、前記値（ｃ１／ｃ２−Ｋ）に比例する信号を抽出するように動作する、請求項６に記載の装置。
【請求項１０】
前記少なくとも１つの演算増幅器が第１および第２の演算増幅器（Ａ１、Ａ０）を含み、
前記少なくとも１つの電源は、前記第１の演算増幅器の非反転入力と、前記第２の演算増幅器の非反転入力とに出力電圧（Ｖｓ）を与えるように動作する、周期的に変動する電圧源（Ｇ１）を備え、
第１のノード（１０１）において、前記第１の演算増幅器の出力と前記第１のコンデンサとの間に第１の抵抗（Ｒ１）が接続され、
前記第１の演算増幅器の反転入力に、前記第１のノードにおける電圧電位が与えられ、それによって、前記第１の抵抗を流れる帰還電流（Ｉ１）が、前記第１のノードにおける電圧電位と、前記周期的に変動する電圧源の出力電圧の電圧電位とをほぼ等しく保ち、
第２のノード（１０２）において、前記第２の演算増幅器の出力と前記第２のコンデンサとの間に第２の抵抗（Ｒ２）が接続され、
前記第２の演算増幅器の反転入力に、前記第２のノードにおける電圧電位が与えられ、それによって、前記第２の抵抗を流れる帰還電流（Ｉ２）が、前記第２のノードにおける電圧電位と、前記周期的に変動する電圧源の出力電圧の電圧電位とをほぼ等しく保ち、
前記第１の演算増幅器の出力が、前記差動増幅器の第１の差動入力に与えられ、前記第２の演算増幅器の出力が、前記差動増幅器の第２の差動入力に与えられ、
定常状態では、前記差動増幅器により与えられる電気信号が、時間の周期関数である、前記周期的に変動する電圧源の出力電圧の時間導関数を値（ｒ１＊ｃ１−ｒ２＊Ｃ２）で変調したものを表す信号にほぼ比例し、ｃ１が前記第１のコンデンサの静電容量であり、ｃ２が前記第２のコンデンサの静電容量であり、ｒ１が前記第１の抵抗の抵抗値であり、ｒ２が前記第２の抵抗の抵抗値である、請求項１に記載の装置。
【請求項１１】
定常状態では、前記差動増幅器により与えられる電気信号の周期のある定刻における前記電気信号と、前記値（ｒ１＊ｃ１−ｒ２＊ｃ２）との間にほぼ線形関係が存在する、請求項１０に記載の装置。
【請求項１２】
定常状態では、前記差動増幅器により与えられる電気信号の正および／または負の周期の平均絶対値と、前記値（ｒ１＊ｃ１−ｒ２＊ｃ２）との間にほぼ線形関係が存在する、請求項１０に記載の装置。
【請求項１３】
同期復調器をさらに含み、前記周期的に変動する電圧源が正弦波電圧源であり、前記同期復調器が、同期復調によって、前記差動増幅器により与えられる電気信号から、前記値（ｒ１＊ｃ１−ｒ２＊ｃ２）にほぼ比例する信号を抽出するように動作する、請求項１０に記載の装置。
【請求項１４】
前記少なくとも１つの第１のコンデンサのそれぞれが容量性トランスデューサである、請求項１に記載の装置。
【請求項１５】
前記少なくとも１つの第２のコンデンサのそれぞれが容量性トランスデューサである、請求項１に記載の装置。
【請求項１６】
前記少なくとも１つの第１のコンデンサのそれぞれが容量性センサである、請求項１に記載の装置。
【請求項１７】
前記少なくとも１つの第２のコンデンサのそれぞれが容量性センサである、請求項１に記載の装置。
【請求項１８】
前記演算増幅器は、反転入力および非反転入力を有し、前記少なくとも１つの第２のコンデンサのそれぞれが、前記演算増幅器の反転入力および非反転入力の１つに関連付けられた内部静電容量に対応する、請求項１に記載の装置。
【請求項１９】
第１および第２のセンサ電極（Ｅ１、Ｅ２）をさらに含み、前記第１のコンデンサが、前記第１のセンサ電極に近接した人間の外肢によって形成され、前記第２のコンデンサが、前記第２のセンサ電極に近接した前記人間の外肢によって形成され、
前記差動増幅器により与えられる電気信号に基づいて第１の制御信号（２０６）を発生させるように動作するスイッチング決定セクション（２０５）と、
前記第１の制御信号に応答して状態条件を示すように動作するスイッチング出力セクション（２０７）とをさらに備える、請求項１に記載の装置。
【請求項２０】
安定状態条件になるまで、前記スイッチング決定セクションによる前記第１の制御信号の発生を遅らせるように動作する起動遅延セクション（２０３）をさらに備える、請求項１９に記載の装置。
【請求項２１】
ガード電極（Ｅ３）をさらに備え、前記ガード電極が前記第１および第２のセンサ電極から電気的に隔離され、前記ガード電極が、前記第１および第２のセンサ電極とほぼ同じ電圧電位に保たれ、前記ガード電極が、前記第１および第２のセンサ電極の背面および側面を囲むように構成されている、請求項１９に記載の装置。
【請求項２２】
前記第１のセンサ電極が中央電極であり、前記第２のセンサ電極が外側電極であり、前記中央電極が、前記外側電極と間隔をおいて配置され、前記外側電極に少なくとも部分的に囲まれている、請求項１９に記載の装置。
【請求項２３】
底面および縁を有するコンテナの形で面をさらに含み、前記面は２つの側面を有し、前記第１および第２のセンサ電極がそれぞれ前記面の２つの側面の１つに配置され、前記第１のセンサ電極が前記コンテナの前記底面の近くに配置され、前記第２のセンサ電極が前記コンテナの前記縁の近くに配置されている、請求項１９に記載の装置。
【請求項２４】
前記少なくとも１つの第２のコンデンサが、複数の第２のコンデンサのうちの選択された１つである、請求項１に記載の装置。
【請求項２５】
前記少なくとも１つの第１のコンデンサが、第１のコンデンサ（Ｃ１１〜Ｃ１ｎ）の集合のうちの１つを備え、
前記少なくとも１つの演算増幅器が、複数の第１の演算増幅器（Ａ１１〜Ａ１ｎ）を備え、前記複数の第１の演算増幅器のそれぞれが、第１のコンデンサの前記集合の中のそれぞれに関連付けられ、
前記少なくとも１つの差動増幅器が、複数の差動増幅器（Ａ２１〜Ａ２ｎ）を備え、前記複数の差動増幅器のそれぞれが、第１のコンデンサの前記集合の中のそれぞれに関連付けられ、
第１のコンデンサの前記集合の中のそれぞれに関連付けられた、前記複数の第１の演算増幅器のそれぞれが、負帰還を用いて、第１のコンデンサの前記集合の中のそれぞれと、前記第２のコンデンサとをほぼ等しい電圧電位に保ち、
前記複数の第１の演算増幅器のそれぞれが、前記複数の差動増幅器のそれぞれの入力に直接または間接に出力を与えるように動作し、
前記複数の差動増幅器のそれぞれが、複数の電気信号（Ｖｄ１〜Ｖｄｎ）のそれぞれを与えるように動作し、各電気信号と、第１のコンデンサの前記集合の中のそれぞれの静電容量および前記第２のコンデンサの静電容量の、指定された算術関数との間にほぼ線形関係が存在する、請求項１に記載の装置。
【請求項２６】
第１のコンデンサの前記集合が、第１のコンデンサの複数の集合の中の選択された１つである、請求項２５に記載の装置。
【請求項２７】
前記少なくとも１つの電源は、複数の第１の抵抗（Ｒ１１〜Ｒ１ｎ）を駆動するように動作する、周期的に変動する電圧源（Ｇ１）を備え、各第１の抵抗が、複数の第１のノードのそれぞれにおいて、第１のコンデンサの前記集合の中のそれぞれに接続され、第２のノードにおいて前記第２のコンデンサに接続された第２の抵抗（Ｒ２）を駆動し、
前記複数の第１のノードのそれぞれにおける電圧電位が、前記複数の第１の演算増幅器のそれぞれの反転入力に与えられ、前記第２のノードにおける電圧電位が、前記複数の第１の演算増幅器のそれぞれの非反転入力に与えられ、
複数の第３の抵抗（Ｒ３１〜Ｒ３ｎ）のそれぞれが、前記複数の第１の演算増幅器のそれぞれの出力と、前記複数の第１のノードのそれぞれとの間に接続され、それによって、前記複数の第３の抵抗のそれぞれを流れる帰還電流が、前記複数の第１のノードのそれぞれにおける電圧電位と、前記第２のノードにおける電圧電位とをほぼ等しく保ち、
前記第２のノードにおける電圧電位が、前記複数の差動増幅器のそれぞれの第１の差動入力に与えられ、前記複数の第１の演算増幅器のそれぞれの出力が、前記複数の差動増幅器のそれぞれの第２の差動入力に与えられ、
定常状態では、前記複数の差動増幅器のそれぞれにより与えられる電気信号が、時間の周期関数である、前記第２の抵抗を流れる電流をそれぞれの値（ｃ１／ｃ２−ｒ２／ｒ１）で変調したものを表す信号にほぼ比例し、ｃ１が、第１のコンデンサの前記集合の中のそれぞれの静電容量であり、ｃ２が前記第２のコンデンサの静電容量であり、ｒ１が、前記複数の第１の抵抗のそれぞれの抵抗値であり、ｒ２が前記第２の抵抗の抵抗値である、請求項２５に記載の装置。
【請求項２８】
定常状態では、前記複数の差動増幅器のそれぞれにより与えられる電気信号の周期のある定刻における前記電気信号と、前記各値（ｃ１／ｃ２−ｒ２／ｒ１）との間にほぼ線形関係が存在する、請求項２７に記載の装置。
【請求項２９】
定常状態では、前記複数の差動増幅器のそれぞれにより与えられる電気信号の正および／または負の周期の平均絶対値と、前記各値（ｃ１／ｃ２−ｒ２／ｒ１）との間にほぼ線形関係が存在する、請求項２７に記載の装置。
【請求項３０】
前記周期的に変動する電圧源が正弦波電圧源であり、前記複数の差動増幅器のそれぞれにより与えられる電気信号から、各値（ｃ１／ｃ２−ｒ２／ｒ１）にほぼ比例する信号のそれぞれを同期復調によって抽出するように動作する同期復調器をさらに含む、請求項２７に記載の装置。
【請求項３１】
前記少なくとも１つの電源は、複数の第１の周期的に変動する電流源（Ｇ１１〜Ｇ１ｎ）を備え、前記第１の周期的に変動する電流源のそれぞれが、第１の出力電流（Ｉ１１〜Ｉ１ｎ）を、第１のコンデンサの前記集合の中のそれぞれに与えるように動作し、第１のコンデンサの前記集合の中のそれぞれが、複数の第１のノードのそれぞれにおいて、前記第１の周期的に変動する電流源のそれぞれに接続され、
第２の出力電流（Ｉ２）を前記第２のコンデンサに与えるように動作する第２の周期的に変動する電流源（Ｇ２）をさらに備え、前記第２のコンデンサが、第２のノードにおいて、前記第２の周期的に変動する電流源に接続され、
前記第１の出力電流のそれぞれの大きさが、前記第２の出力電流の大きさの、それぞれの定数Ｋ倍に等しく、
前記複数の第１のノードのそれぞれにおける電圧電位が、前記複数の第１の演算増幅器のそれぞれの反転入力に与えられ、前記第２のノードにおける電圧電位が、前記複数の第１の演算増幅器のそれぞれの非反転入力に与えられ、
複数の第１の抵抗（Ｒ１１〜Ｒ１ｎ）のそれぞれが、前記複数の第１の演算増幅器のそれぞれの出力と、前記複数の第１のノードのそれぞれとの間に接続され、それによって、前記複数の第１の抵抗のそれぞれを流れる帰還電流が、前記複数の第１のノードのそれぞれにおける電圧電位と、前記第２のノードにおける電圧電位とをほぼ等しく保ち、
前記第２のノードにおける電圧電位が、前記複数の差動増幅器のそれぞれの第１の差動入力に与えられ、前記複数の第１の演算増幅器のそれぞれの出力が、前記複数の差動増幅器のそれぞれの第２の差動入力に与えられ、
定常状態では、前記複数の差動増幅器のそれぞれにより与えられる電気信号が、時間の周期関数である、前記第２のコンデンサに流れ込む電流をそれぞれの値（ｃ１／ｃ２−Ｋ）で変調したものを表す信号にほぼ比例し、ｃ１が第１のコンデンサの前記集合の中のそれぞれの静電容量であり、ｃ２が前記第２のコンデンサの静電容量である、請求項２５に記載の装置。
【請求項３２】
定常状態では、前記複数の差動増幅器のそれぞれにより与えられる電気信号の周期のある定刻における前記電気信号と、各値（ｃ１／ｃ２−Ｋ）との間にほぼ線形関係が存在する、請求項３１に記載の装置。
【請求項３３】
定常状態では、前記複数の差動増幅器のそれぞれにより与えられる電気信号の正および／または負の周期の平均絶対値と、各値（ｃ１／ｃ２−Ｋ）との間にほぼ線形関係が存在する、請求項３１に記載の装置。
【請求項３４】
同期復調器をさらに含み、前記複数の第１の周期的に変動する電流源および前記第２の周期的に変動する電流源がそれぞれ正弦波電流源であり、前記同期復調器が、前記複数の差動増幅器のそれぞれにより与えられる電気信号から、それぞれの値（ｃ１／ｃ２−Ｋ）にほぼ比例する信号のそれぞれを同期復調によって抽出するように動作する、請求項３１に記載の装置。
【請求項３５】
前記少なくとも１つの演算増幅器は、第２の演算増幅器（Ａ０）をさらに備え、
前記少なくとも１つの電源は、前記複数の第１の演算増幅器の各非反転入力と、前記第２の演算増幅器の非反転入力とに出力電圧（Ｖｓ）を与えるように動作する、周期的に変動する電圧源（Ｇ１）を備え、
複数の第１のノードのそれぞれにおいて、前記複数の第１の演算増幅器のそれぞれの出力と、第１のコンデンサの前記集合の中のそれぞれとの間に、複数の第１の抵抗（Ｒ１１〜Ｒ１ｎ）のそれぞれが接続され、
前記複数の第１のノードのそれぞれにおける電圧電位が、前記複数の第１の演算増幅器のそれぞれの反転入力に与えられ、それによって、前記複数の第１の抵抗のそれぞれを流れる帰還電流が、前記複数の第１のノードのそれぞれにおける電圧電位と、前記周期的に変動する電圧源の出力電圧の電圧電位とをほぼ等しく保ち、
第２のノードにおいて、前記第２の演算増幅器の出力と前記第２のコンデンサとの間に第２の抵抗が接続され、
前記第２の演算増幅器の反転入力に、前記第２のノードにおける電圧電位が与えられ、それによって、前記第２の抵抗を流れる帰還電流が、前記第２のノードにおける電圧電位と、前記周期的に変動する電圧源の出力電圧の電圧電位とをほぼ等しく保ち、
前記複数の第１の演算増幅器のそれぞれの出力が、前記複数の差動増幅器のそれぞれの第１の差動入力に与えられ、前記第２の演算増幅器の出力が、前記複数の差動増幅器のそれぞれの第２の差動入力に与えられ、
定常状態では、前記複数の差動増幅器のそれぞれにより与えられる電気信号が、時間の周期関数である、前記周期的に変動する電圧源の出力電圧の時間導関数をそれぞれの値（ｒ１＊ｃ１−ｒ２＊Ｃ２）で変調したものを表す信号にほぼ比例し、ｃ１が第１のコンデンサの前記集合の中のそれぞれの静電容量であり、ｃ２が前記第２のコンデンサの静電容量であり、ｒ１が前記複数の第１の抵抗のそれぞれの抵抗値であり、ｒ２が前記第２の抵抗の抵抗値である、請求項２５に記載の装置。
【請求項３６】
定常状態では、前記複数の差動増幅器のそれぞれにより与えられる電気信号の周期のある定刻における前記電気信号と、各値（ｒ１＊ｃ１−ｒ２＊ｃ２）との間にほぼ線形関係が存在する、請求項３５に記載の装置。
【請求項３７】
定常状態では、前記複数の差動増幅器のそれぞれにより与えられる電気信号の正および／または負の周期の平均絶対値と、各値（ｒ１＊ｃ１−ｒ２＊ｃ２）との間にほぼ線形関係が存在する、請求項３５に記載の装置。
【請求項３８】
同期復調器をさらに含み、前記周期的に変動する電圧源が正弦波電圧源であり、前記同期復調器が、前記複数の差動増幅器のそれぞれにより与えられる電気信号から、各値（ｒ１＊ｃ１−ｒ２＊ｃ２）にほぼ比例する信号のそれぞれを同期復調によって抽出するように動作する、請求項３５に記載の装置。
【請求項３９】
第１のセンサ電極（Ｅ１１〜Ｅ１ｎ）の集合と、第２のセンサ電極（Ｅ２）とをさらに含み、第１のコンデンサの前記集合の中のそれぞれが、第１のセンサ電極の前記集合の中のそれぞれに近接した人間の外肢によって形成され、前記第２のコンデンサが、前記第２のセンサ電極に近接した前記人間の外肢によって形成され、
前記複数の差動増幅器のそれぞれにより与えられる電気信号に基づいて、複数の第１の制御信号（２０６）のそれぞれを発生させるように動作するスイッチング決定セクション（２０５）と、
前記複数の第１の制御信号のそれぞれに応答して状態条件のそれぞれを示すように動作するスイッチング出力セクション（２０７）とをさらに備える、請求項２５に記載の装置。
【請求項４０】
安定状態条件になるまで、前記スイッチング決定セクションによる前記複数の第１の制御信号のそれぞれの発生を遅らせるように動作する起動遅延セクション（２０３）をさらに備える、請求項３９に記載の装置。
【請求項４１】
ガード電極（Ｅ３）をさらに備え、前記ガード電極が第１のセンサ電極の前記集合および前記第２のセンサ電極から電気的に隔離され、
前記ガード電極が、第１のセンサ電極の前記集合および前記第２のセンサ電極とほぼ同じ電圧電位に保たれ、
前記ガード電極が、第１のセンサ電極の前記集合および前記第２の電極の背面および側面を囲むように構成されている、請求項３９に記載の装置。
【請求項４２】
第１のセンサ電極の前記集合の中のそれぞれが、中央電極の集合の中のそれぞれであり、前記第２のセンサ電極が共通外側電極であり、
中央電極の前記集合の中のそれぞれが、前記共通外側電極と間隔をおいて配置され、前記共通外側電極に少なくとも部分的に囲まれている、請求項３９に記載の装置。
【請求項４３】
それぞれが底面および縁を有するコンテナの形である多数のくぼみ領域を含む面をさらに含み、前記面は２つの側面を有し、前記第２のセンサ電極と、第１のセンサ電極の前記集合とが、各々前記面の２つの側面の１つに配置され、
第１のセンサ電極の前記集合のそれぞれが前記コンテナのそれぞれの前記底面の近くに配置され、前記第２のセンサ電極が前記コンテナの前記縁の近くに配置されている、請求項３９に記載の装置。
【請求項４４】
第１のセンサ電極の集合をさらに含み、第１のコンデンサの前記集合のそれぞれが、第１のセンサ電極の前記集合のなかのそれぞれに近接した導体によって形成され、
前記複数の差動増幅器により与えられる前記複数の電気信号が、前記第１のセンサ電極に対する前記導体の近接を表す、請求項２５に記載の装置。
【請求項４５】
第１のセンサ電極の集合をさらに含み、第１のコンデンサの前記集合の中のそれぞれが、第１のセンサ電極の前記集合の中のそれぞれに近接した導体によって形成され、
第１のセンサ電極の前記集合が配列を形成するように構成され、
前記複数の差動増幅器により与えられる前記複数の電気信号が、前記第１のセンサ電極に対する前記導体の位置または動きを示す、請求項２５に記載の装置。
【請求項４６】
第２のセンサ電極をさらに含み、前記第２のコンデンサが、前記第２のセンサ電極に近接した導体によって形成される、請求項２５に記載の装置。
【請求項４７】
前記演算増幅器が反転入力および非反転入力を有し、前記少なくとも１つの第１のコンデンサのそれぞれが前記演算増幅器の前記反転入力および非反転入力の１つに関連付けられた内部静電容量を備える、請求項１に記載の装置。
【請求項４８】
センサ電極をさらに含み、前記第１のコンデンサが、前記センサ電極に近接した導体によってに形成され、
前記差動増幅器により与えられる電気信号が、前記センサ電極に対する前記導体の近接を表す、請求項１に記載の装置。
【請求項４９】
センサ電極をさらに含み、前記第２のコンデンサが、前記センサ電極に近接した導体によって形成され、
前記差動増幅器により与えられる電気信号が、前記センサ電極に対する前記導体の近接を表す、請求項１に記載の装置。
【請求項５０】
第１および第２のセンサ電極（Ｅ１、Ｅ２）をさらに含み、前記第１のコンデンサが、前記第１のセンサ電極に近接した導体によって形成され、前記第２のコンデンサが、前記第２のセンサ電極に近接した導体によって形成され、
前記差動増幅器により与えられる電気信号が、前記第１および第２のセンサ電極に対する前記導体の近接を表す、請求項１に記載の装置。
【請求項５１】
導体の近接に応答して少なくとも１つの論理信号を発生する容量性センス装置であって、
前記導体の近接によって第１の静電容量を生じさせる少なくとも１つの第１のセンサ電極、
前記導体の近接によって第２の静電容量を生じさせる少なくとも１つの第２のセンサ電極、および、
前記少なくとも１つの第１のセンサ電極と前記第２のセンサ電極とを共有グラウンドに対してほぼ等しい電圧電位に維持し、かつ前記第２の静電容量に対する前記第１の静電容量の相対的な変化を検知するように構成された装置を備え、
前記少なくとも１つの論理信号が、前記第１および第２の静電容量の相対的な変化があらかじめ設定された閾値を越える状態条件を表す、装置。
【請求項５２】
前記少なくとも１つの第１のセンンサ電極と前記少なくとも１つの第２のセンサ電極がそれぞれ面の２つの側面の１つに配置され、
前記面が、それぞれが底面および縁を有するコンテナの形である少なくとも１つのくぼみ領域を含み、
前記少なくとも１つの第１のセンサ電極が、前記少なくとも１つのくぼみ領域に対応するコンテナの底面の近くに配置され、
前記第２のセンサ電極が、各コンテナの前記縁の近くに配置されている、請求項５１に記載の装置。
【請求項５３】
ガード電極をさらに備え、前記ガード電極が、前記少なくとも１つの第１のセンサ電極および前記第２の電極から電気的に隔離され、
前記ガード電極が、前記少なくとも１つの第１のセンサ電極および前記第２のセンサ電極とほぼ同じ電圧電位に維持され、かつ
前記ガード電極が、前記少なくとも１つの第１のセンサ電極および前記第２のセンサ電極を、少なくとも部分的に囲むように構成されている、請求項５１記載の装置。
【請求項５４】
前記第２のセンサ電極が導電性メッシュであり、前記少なくとも１つの第１のセンサ電極の前に配置されている請求項５１の装置。